(57)【要約】【課題】視聴制限番組が選択された場合に、視聴制限メッセージの種類をそのときの視聴者にとって理解可能なものにする。【解決手段】ＴＶ選局部２によって選局されたＴＶ放送信号中にペアレンタルロック情報が付加されていることをペアレンタルロック情報処理部５が検出すると、制御部８は、オンスクリーン表示制御部７を介してＴＶ画面上に暗証番号を入力する旨の表示を行う。この暗証番号か正しく入力されなかった場合、ランク別視聴制限メッセージ記憶部Ｍに記憶されている視聴制限メッセージの中から、予め選択されているランクに対応するメッセージを抽出して、オンスクリーン表示制御部７を介してＴＶ画面上に表示する。【選択図】  図２
2005340972.tif 000002
【特許請求の範囲】
【請求項１】
ＴＶ放送信号中の視聴制限情報を検出する視聴制限情報検出手段と、前記視聴制限情報を検出したときに、映像・音声信号の出力を禁止する手段と、 前記視聴制限情報を検出したときに、選択された番組が視聴制限番組であることを表す表示メッセージを画面上に出力する表示メッセージ出力手段とを備える放送受信装置において、
前記表示メッセージを年齢毎にランク分けした複数種類の表示メッセージにして記憶する表示メッセージ記憶部と、前記複数種類の表示メッセージのうちどの表示メッセージを表示するかを選択する表示メッセージ選択手段と、前記表示メッセージ記憶部に記憶される表示メッセージを編集する編集手段と、前記ランクに応じて、前記選択された表示メッセージを音声出力する音声合成手段と、を備え、前記視聴制限番組の受信時に、前記選択された表示メッセージを前記表示メッセージ記憶部から読み出して画面上に表示することを特徴とする放送受信装置。
【請求項２】
ＴＶ放送信号中の視聴制限情報を検出する視聴制限情報検出手段と、前記視聴制限情報を検出したときに、映像・音声信号の出力を禁止する手段と、 前記視聴制限情報を検出したときに、選択された番組が視聴制限番組であることを表す視聴制限メッセージを画面上に出力する視聴制限メッセージ出力手段とを備える放送受信装置において、
前記視聴制限メッセージを複数種類記憶した視聴制限メッセージ記憶部と、前記複数種類の視聴制限メッセージのうちどの視聴制限メッセージを表示するかを選択する視聴制限メッセージ選択手段と、を備え、前記視聴制限番組の受信時に、前記選択された視聴制限メッセージを前記視聴制限メッセージ記憶部から読み出して画面上に表示することを特徴とする放送受信装置。
【請求項３】
前記視聴制限メッセージ記憶部は、年齢毎にランク分けされた視聴制限メッセージを記憶する請求項２記載の放送受信装置。
【請求項４】
前記視聴制限メッセージ記憶部に記憶される視聴制限メッセージを編集する編集手段を備える請求項２または３に記載の放送受信装置。
【請求項５】
前記ランクに応じて、選択された視聴制限メッセージを音声出力する音声合成手段を備える請求項３または４に記載の放送受信装置。
【発明の詳細な説明】
【技術分野】
【０００１】
本発明は、視聴制限情報の付加されたＴＶ放送番組の受信時に所定の視聴制限メッセージを画面上に表示する機能を持つ放送受信装置に関する。
【背景技術】
【０００２】
例えばＣＳ放送等において、親が子供に見せたくない可能性の高い成人番組等については、放送事業者より番組コンテンツに視聴制限情報（ペアレンタルロック情報）が付加されるようになっている。ロック機能を持つ受信機においてこの
ペアレンタルロック情報の付加されたＣＨ番組を選択すると、予め管理者（通常の家庭においては「親」）が定めた暗証番号の照合が一致しない限り、その番組の視聴はできない。暗証番組が入力されない、或いは暗証番号が一致しないと、番組の視聴にロックがかかり、且つ、画面上には所定の視聴制限メッセージがオンスクリーン表示される（例えば特許文献１、２）。
【０００３】
上記のようにして、特定の番組については受信機側の管理者により視聴制限をかけることが出来る様にしていた。
【特許文献１】特開２００３−６９９７８号公報
【特許文献２】特開平１０−２４２８７４号公報
【発明の開示】
【発明が解決しようとする課題】
【０００４】
しかしながら、上記の装置では、視聴制限メッセージが予め決められた表示態様であったため、低年齢の子供等がメッセージ内容を読解ないし理解できない可能性があった。例えば、視聴制限メッセージが「この番組は青少年保護のため視聴制限がかけられています。ＣＨプログラムを変更して下さい。」と表示されていると、１８歳前後の少年は読解・理解が可能であるが、８歳程度の少年にとっては読解・理解が困難である。
【０００５】
このため、視聴制限メッセージが表示されたとしても、十分な効果が出せていないという問題があった。
【０００６】
本発明の目的は、視聴制限番組が選択された場合に、視聴制限メッセージの種類をそのときの視聴者にとって理解可能なものにすることができる放送受信装置を提供することにある。
【課題を解決するための手段】
【０００７】
本発明は、ＴＶ放送信号中の視聴制限情報を検出する視聴制限情報検出手段と、前記視聴制限情報を検出したときに、映像・音声信号の出力を禁止する手段と、 前記視聴制限情報を検出したときに、選択された番組が視聴制限番組であることを表す視聴制限メッセージを画面上に出力する視聴制限メッセージ出力手段とを備える放送受信装置において、
前記視聴制限メッセージを複数種類記憶した視聴制限メッセージ記憶部と、前記複数種類の視聴制限メッセージのうちどの視聴制限メッセージを表示するかを選択する視聴制限メッセージ選択手段と、を備え、前記視聴制限番組の受信時に、前記選択された視聴制限メッセージを前記視聴制限メッセージ記憶部から読み出して画面上に表示することを特徴とする。
【０００８】
上記の構成では、視聴制限メッセージ選択手段によって事前にどの視聴制限メッセージを表示するかを選択できるため、実際の視聴者にとって最適なメッセージ表示を行うことが出来る。
【０００９】
上記の構成において、前記視聴制限メッセージを年齢毎にランク分けされた視聴制限メッセージにしておくことで、実際の視聴者の年齢に最適な表示することができる。
【００１０】
また、好ましい実施態様では、前記視聴制限メッセージ記憶部に記憶される視聴制限メッセージを編集する編集手段を備える。
【００１１】
このようにすることで、例えば、家族の各々に適した視聴制限メッセージにすることができる。
【００１２】
また、好ましい他の実施態様では、前記ランクに応じて、選択された視聴制限メッセージを音声出力する音声合成手段を備える。
【００１３】
この実施態様では音声合成手段を備えることにより、メッセージを音声で知らせる。表示されるメッセージを読解するよりは音声で聞き取る方が望ましい場合、例えば、視聴者の年齢が５歳〜７歳程度の場合は、音声で知らせた方が理解が確実なものとなる。
【発明の効果】
【００１４】
本発明によれば、視聴制限番組の視聴が制限される場合に、視聴制限メッセージが実際の視聴者にとって最適なメッセージ表示、特に、年齢に応じたメッセージ表示となるため、視聴者にとって非常に使いやすいものとなる。
【発明を実施するための最良の形態】
【００１５】
図１は、本発明の実施形態であるＴＶ放送受信装置が使用されるＣＳ放送システムの概略図である。
【００１６】
放送事業者Ａは、契約者Ｂに対し、放送用衛星Ｃを経由して番組コンテンツを送信する。この番組コンテンツには、その番組コンテンツ（チャンネルＣＨ）によっては、視聴制限情報（ペアレンタルロック情報）４０の付加されたものがある。すなわち、視聴制限のかかった番組コンテンツは、番組情報４１にペアレンタルロック情報４０が付加されており、この番組コンテンツを契約者Ｂが受信してペアレンタルロック情報取得部４２においてペアレンタルロック情報４０を認識し、且つ予め設定した暗証番号の入力がないと、ロック部４３においてその番組の視聴にロックがかかる。
【００１７】
図２は、本発明の実施形態であるＴＶ放送受信装置の概略のブロック図である。
【００１８】
この放送受信装置は、ＣＳ放送を受信するためのアンテナ１と、アンテナ１で受信した信号を、映像・音声等の情報とペアレンタルロック情報とに分離する分離手段３と、映像・音声等の情報を処理する映像・音声処理部４と、ペアレンタルロック情報を処理するペアレンタルロック情報処理部５と、映像・音声等の情報を通過させるゲート６と、このゲート６を通過した情報に対しオンスクリーン表示制御を行うオンスクリーン表示制御部７と、制御部８と、音声合成部９と、リモコン受信部１０と、リモコン１１とを備えている。
【００１９】
前記制御部８は、ペアレンタルロック情報処理部５において、ペアレンタルロック情報を認識すると、オンスクリーン表示制御部７を介して、表示画面上に「暗証番号入力してください」の表示を行い、視聴者に対し暗証番号の入力を促す。そして、暗証番号が正しく照合されると、ゲート６を開いて映像・音声処理部４において処理された映像信号及び音声信号がＴＶ信号として出力されるようにする。また、暗証番号が一致しない場合、または暗証番号が入力されない場合にはゲート６を閉じたままにし、同時に、オンスクリーン表示制御部７を介して、ＴＶ画面上に視聴制限メッセージを表示する。表示される視聴制限メッセージは、ランク別メッセージ記憶部Ｍに記憶されている視聴制限メッセージの中から選ばれたものである。ランク別メッセージ記憶部Ｍには視聴制限メッセージが予め３種類記憶されており、リモコン１１等によって、この３種類のメッセージの中から予めどのランクのメッセージを表示するかが選択されている。
【００２０】
また、制御部８には音声合成部９が接続されており、上記リモコン１１によって、選択されたランクのメッセージに加えて、または選択されたランクのメッセージに代えて該メッセージを音声出力可能となっている。
【００２１】
リモコン１１は、ペアレンタルロック情報の付加された番組の場合に画面上の表示要求に応じて暗証番号を入力したり、同番組を受信して暗証番号の照合が一致しなかったりまたは入力されなかった場合にオンスクリーン機能によってＴＶ画面上に表示する視聴制限メッセージのランクを入力したり、上記ランクに応じて視聴制限メッセージとともに、またはそのメッセージに代えて音声出力をするかしないかの選択を入力したり、あるいは、上記視聴制限メッセージの編集をしたりする。
【００２２】
図３は、上記ランク別視聴制限メッセージ記憶部Ｍの記憶例を示している。
【００２３】
図示する例では、ランクＡ〜Ｃ別に視聴制限メッセージ及び音声出力の有無が記憶されている。
【００２４】
この例では、ランクＡが１８歳未満、ランクＢが１３歳未満、ランクＣが８歳未満に対応していて、それぞれに適した同義のメッセージが記憶されている。すなわち、ランクＡでは、「この番組は青少年保護のため視聴制限がかけられています。ＣＨプログラムを変更して下さい。」のメッセージが記憶され、ランクＢでは、「この番組を見ることができません。ＣＨを変えて下さい。」のメッセージが記憶され、ランクＣでは、「このばんぐみをみることはできません。ちゃんねるをかえてください。」のメッセージが記憶されている。さらに、ランクＡとランクＢでは音声出力しない符号「×」が記憶され、ランクＣでは音声出力する符号「○」が記憶されている。
【００２５】
上記の構成において、ＴＶ放送受信装置を所有してＣＳ放送の受信契約をしている管理者（親）は、事前に、リモコン１１を用いてペアレンタルロック情報の付加されたＣＨ番組の場合にどの視聴制限メッセージを表示するかを表すランクを入力しておく。同時に、必要に応じて音声の出力有無の入力をしておく。また、視聴制限メッセージそのものをリモコン１１にて編集することが可能であるから、必要に応じて、図３に示す視聴制限メッセージを、編集機能を利用して任意のメッセージ内容に編集しておく。もちろん、新たなランクの視聴制限メッセージを作成して追加することも可能である。
【００２６】
そして、ＴＶ放送受信装置がペアレンタルロック情報の付加されたＣＨ番組を受信すると、表示画面上に暗証番号の入力を促す表示が行われるから、この段階で正しい暗証番号が入力されなかったり、または暗証番号が全く入力されない場合、オンスクリーン機能によってＴＶ画面上に、上記予め設定されているランクに応じたメッセージ出力または音声出力が行われる。
【００２７】
図４は、ペアレンタルロック情報の付加されたＣＨ番組を受信した時の概略の動作を示すフローチャートである。
【００２８】
ペアレンタルロック情報をペアレンタルロック情報処理部５において認識すると、制御部８は、オンスクリーン表示制御部７を介してＴＶ画面上に「暗証番号を入力してください」の表示をする。その時、視聴者によって暗証番号が入力されなかったり（ＳＴ１で検出）、または入力された暗証番号が予めリモコン１１によって入力されている暗証番号と一致しなかった場合（ＳＴ２で検出）は、ＳＴ４に進んで、ゲート６に対しロック信号が出力される。この段階で、映像・音声等処理部４からの信号は後段に出力されなくなる。また、制御部８においては、予めリモコン１１において設定されている設定ランクに応じた視聴制限メッセージをランク別視聴制限メッセージ記憶部Ｍから選択して、これをオンスクリーン表示制御部７を介してＴＶ画面上に表示する。また、設定ランクが音声出力を指定するものであれば、音声合成部９に対して上記メッセージを出力する。この時、メッセージの表示出力と音声出力とを同時に行うか、音声出力のみを行うかはリモコン１１によって予め設定することが可能である。図３に示す例では、ランクＣについて、メッセージの表示出力と音声出力が同時に行われるようになっている。
【００２９】
リモコン１１では、通常のＴＶ装置のリモコン機能に加えて、暗証番号入力、ランク入力、音声出力有無設定、視聴制限メッセージの編集が可能であり、暗証番号入力機能では、ＴＶ画面上に暗証番号を入力する旨の表示がされた時に数値キーを入力すればその数値が暗証番号となる。また、ランク入力では、リモコン１１においてランク入力モードを設定してＡ〜Ｃの符号を入力することでランクを設定する。音声出力有無設定では、上記ランクを入力した後音声キーを押圧し、さらに「×」または「○」のキーを操作する。また、視聴制限メッセージの編集は、図５に示す手順によって行う。
【００３０】
すなわち、編集キーを押圧してからランク指定を行うと（ランクキーを入力する。新たなランクを追加するときは、その新たなランクを入力）、ＴＶ画面上にそのランクによって指定される視聴制限メッセージが表示される。このメッセージを、カーソルキーと、リモコンの各数値キーに割当てられている仮名キー及び仮名漢字変換機能によって任意のメッセージに編集する。編集が終了するとＥＮＤを操作してこの編集機能を終了する。
【００３１】
以上の動作により、ペアレンタルロック情報の付加されたＣＨ番組が選択された時には、適正な暗証番号入力がない限り、ＴＶ画面上に予め指定されたランクに応じた視聴制限メッセージを表示させることができる。したがって、たとえば８歳未満の子供だけがいる家庭においては、予め、親がランクＣを設定しておくことによって、ペアレンタルロック情報の付加されたＣＨ番組が選択された場合、ＴＶ画面上に全て平仮名の視聴制限メッセージが表示されるとともに、設定によってこのメッセージを音声出力することも可能である。また、１８歳の子供がいる家庭では、予めランクＡを設定することによって、ＴＶ画面上に漢字を含む視聴制限メッセージを表示する。
【００３２】
なお、上記の実施形態では、設定されたランクＡ〜Ｃに応じてそれぞれのランク別に設定されているメッセージを出力するようにしているが、たとえば、ランクＡが設定された場合には、ランクＡ〜Ｃのそれぞれのメッセージを並列して表示出力し、ランクＢが設定された場合にはランクＢとランクＣの出力を並列して表示出力し、ランクＣが設定された場合にはランクＣのみを表示出力するようにしてもよい。
【００３３】
また、本実施形態はＴＶ放送番組を対象とするものであるが、視聴制限情報の付加された番組コンテンツであるなら、ＤＶＤに記憶された映像情報等についても適用することが可能である。さらに、ランク分けを年齢で設定したが、その他、親、子供、祖父（祖母）、健常者、ハンディキャップのある人などで設定することも可能である。
【図面の簡単な説明】
【００３４】
【図１】ＣＳＴＶ放送システムの概略の構成図
【図２】本発明の実施形態である放送受信装置の概略構成図
【図３】ランク別視聴制限メッセージ記憶部の記憶例を示す図
【図４】ペアレンタルロック情報が付加されたＣＨ番組を受信した時の概略の動作を示すフローチャート
【図５】視聴制限メッセージを編集する時の手順を示す図
【図１】
2005340972.tif 000003
【図２】
2005340972.tif 000004
【図３】
2005340972.tif 000005
【図４】
2005340972.tif 000006
【図５】
2005340972.tif 000007